(57)【特許請求の範囲】
【請求項１】
内部導体の周りに絶縁材を被せてなるコアとともに、テープ材を供給してコアの周りにテープ材を管状に被覆成形した後、このテープ材の突き合わせ部分を溶接し、次に、このテープ材をリング状や螺旋状に波付けして外部導体とする波付き同軸ケーブルの製造方法において、
前記テープ材の溶接工程と波付け工程との間に冷却工程を設けて、前記テープ材を溶接直後に冷却しており、
前記冷却工程では、外水槽とこの外水槽の内部に配置された内水槽とに、テープ材被覆溶接状態のコアを挿通させて引き出しながら、前記テープ材に前記内水槽上部から冷却水を滴下させることにより当該テープ材を冷却しており、
かつ、前記内水槽から漏水して前記外水槽に貯留する冷却水を循環ポンプで吸い上げてクーラで再冷却したうえで、内水槽挿通中のテープ材被覆溶接状態のコアに再滴下させる、
ことを特徴とする波付き同軸ケーブルの製造方法。
【発明の詳細な説明】
【０００１】
【発明の属する技術分野】
本発明は、外部導体がリング状や螺旋状に波付けされた波付き同軸ケーブルの製造方法に関する。
【０００２】
【従来の技術】
従来の波付き同軸ケーブルには、たとえば図３に示すように、いわゆるリングコルゲート銅管型同軸ケーブルａと称されるものがある。
【０００３】
この同軸ケーブルａは、共に銅製の内部導体ｂと外部導体ｃとの間に、発泡ポリエチレンなどの高発泡絶縁材料でできた絶縁材ｄが介在され、さらに、外部導体ｃの周りにはポリエチレンなどでできた保護層ｅが形成されている。そして、内部導体ｂは、直円筒状または直円柱状をしており、また、外部導体ｃは、径方に向けてリング状に均一に拡径、縮径されることで、軸方向に沿って所定ピッチｐで滑らかに凹凸を繰り返えす波付き形状に成形されている。
【０００４】
ところで、従来、このような波付き同軸ケーブルａを製造する場合には、まず、内部導体ｂの周りに絶縁材ｄを被せてなるコアｇを供給するとともに、これに並行して銅テープなどのテープ材ｔを供給し、成形ダイスによってコアｇの周りにテープ材ｔを管状に被覆成形した後、このテープ材ｔの突き合わせ部分ｔ１をアーク溶接ｈなどによって溶接し、次に、波付け機によってこのテープ材ｔを波付けして外部導体ｃとし、最後にこの外部導体ｃの周りに保護層ｅを被覆する。
【０００５】
【発明が解決しようとする課題】
ところで、上記の波付き同軸ケーブルａには、各種のサイズのものがあるが、特に、外部導体ｃの外径が１３ｍｍ以下のような細径のものを製造する場合には、テープ材ｔの突き合わせ部分を溶接する際に、その溶接熱によってコアｇを構成する絶縁材ｄが溶融してテープ材ｔに融着するという不都合が起こる。
【０００６】
すなわち、図４に示すように、コアｇの周りにテープ材ｔを管状に被覆成形したときには、コアｇとテープ材ｔとの間には若干の隙間ｉがあって重力の影響でコアｇが下方に垂れて絶縁材ｄがテープ材ｔの内周に接触している。この状態で、テープ材ｔの上部の突き合わせ部分ｔ１を溶接したときには、テープ材ｔの熱容量が小さいために、その溶接熱がテープ材ｔの下方部分に短時間の内に伝わって絶縁材ｄが溶融し、その結果テープ材ｔの内周面に融着する。
【０００７】
そして、テープ材ｔに絶縁材ｄが一旦融着すると、次の波付け工程において、その融着部分ｄ１によってテープ材ｔを波付け成形する場合の変形が拘束されることになって正常な波付けができず、波付けの偏形やピッチｐの乱れが生じて不良になる。
【０００８】
本発明は、上記の問題点を解決するためになされたもので、テープ材を溶接する際の絶縁材の融着を確実に防止して、次のテープ材の波付けを安定して行えるようにして、常に良好な波付き同軸ケーブルが製造できるようにすることを課題とする。
【０００９】
【課題を解決するための手段】
本発明は、上記の課題を解決するため、内部導体の周りに絶縁材を被せてなるコアとともに、テープ材を供給してコアの周りにテープ材を管状に被覆成形した後、このテープ材の突き合わせ部分を溶接し、次に、このテープ材をリング状や螺旋状に波付けして外部導体とする波付き同軸ケーブルの製造方法において、前記テープ材の溶接工程と波付け工程との間に冷却工程を設けて、前記テープ材を溶接直後に冷却しており、前記冷却工程では、外水槽とこの外水槽の内部に配置された内水槽とに、テープ材被覆溶接状態のコアを挿通させて引き出しながら、前記テープ材に前記内水槽上部から冷却水を滴下させることにより当該テープ材を冷却しており、かつ、前記内水槽から漏水して前記外水槽に貯留する冷却水を循環ポンプで吸い上げてクーラで再冷却したうえで、内水槽挿通中のテープ材被覆溶接状態のコアに再滴下させている。
【００１０】
【発明の実施の形態】
図１は、波付き同軸ケーブルとして図３に示したリングコルゲート銅管型同軸ケーブルを製造する場合の本発明の実施形態の工程を示す説明図である。
【００１１】
同図において、１は管成形機、２は溶接機、３は冷却装置、４は波付け機である。
【００１２】
管成形機１は、図示しない成形ダイスによって内部導体の周りに絶縁材を被せてなるコアｇの周りに銅テープなどのテープ材ｔを管状に被覆成形するためのものであり、また、溶接機２は、成形ダイス１によって管状に成形されたテープ材ｔの突き合わせ部分ｔ１をアーク溶接などによって溶接するものである。
【００１３】
冷却装置３は、溶接機２で溶接された直後のテープ材ｔを冷却するためのもので、溶接機２に近接して配置されており、たとえば図２に示すような構成となっている。すなわち、この冷却装置３は、外水槽３ａの内部に内水槽３ｂが配置されるとともに、外水槽３ａの前後にはガイドローラ３ｃが設けられており、これらのガイドローラ３ｃによって案内された溶接後のテープ材ｔが両水槽３ａ，３ｂに挿通されて外部に引き出されるようになっている。また、外水槽３ａの底部には循環配管３ｄの一端が接続され、この循環配管３ｄの他端はクーラ３ｅおよび循環ポンプ３ｆを介して内水槽３ｂの上部に開口されており、内水槽３ｂから漏水して外水槽３ａに溜まった水がクーラ３ｅで冷却された後、循環ポンプ３ｆで吸い上げられて内水槽３ｂの上部から溶接後のテープ材ｔの上にシャワーとして落下されるようになっている。
【００１４】
波付け機４は、テープ材ｔを径方に向けてリング状に均一に拡径、縮径することで、軸方向に沿って所定ピッチｐで滑らかに凹凸を繰り返えす波付き形状に成形するものである。
【００１５】
次に、このリングコルゲート銅管型同軸ケーブルを製造する方法を工程順に説明する。
【００１６】
まず、管成形機１に対して、内部導体ｂの周りに絶縁材ｄを被せてなるコアｇを供給するとともに、これに並行して銅テープなどのテープ材ｔを供給する。そして、管成形機１の成形ダイスによってコアｇの周りにテープ材ｔを管状に被覆成形する。
【００１７】
次いで、溶接機２でテープ材ｔの突き合わせ部分ｔ１をアーク溶接し、引き続いて、冷却装置３で溶接直後のテープ材ｔを冷却する。すなわち、溶接直後のテープ材ｔをガイドローラ３ｃで外水槽３ａから内水槽３ｂ内に導いてテープ材ｔの上にシャワーを落下させることにより、テープ材ｔを短時間の内に冷却する。これにより、テープ材ｔの溶接熱がその下方部分に伝わって絶縁材ｄがテープ材ｔの内周面に融着することが確実に防止される。
【００１８】
冷却装置３で冷却された後のテープ材ｔは、次の波付け機４によって波付けされて外部導体ｃとなり、最後にこの外部導体ｃの周りに保護層ｅが被覆される。
【００１９】
なお、上記の実施形態では、外部導体ｃがリング状に波付けされたリングコルゲート銅管型同軸ケーブルａを製造する場合について説明したが、これに限定されるものではなく、たとえば外部導体が螺旋状に波付けされた同軸ケーブルを製造する場合にも、本発明を適用することができる。
【００２０】
また、この実施形態では、冷却水を循環しつつ、溶接後のテープ材ｔの上にシャワーとして落下するようにしているが、単にテープ材ｔの上から冷却水を滝状にかけて垂れ流し状態にしてもよく、また、シャワーも複数箇所でなく一カ所のみ設けてもよい。さらに、冷却水でなく空気を吹き付けて冷却を行うようにすることもできる。
【００２１】
【発明の効果】
本発明によれば、テープ材を溶接する際の絶縁材の融着を確実に防止できるため、次のテープ材の波付けを安定して行うことができる。その結果、たとえ細物のものであっても、常に良好な波付け同軸ケーブルを製造することができるようになる。
【図面の簡単な説明】
【図１】本発明の実施形態に係る波付き同軸ケーブルの製造方法を示す説明図である。
【図２】同製造方法に使用する冷却装置の構成図である。
【図３】波付き同軸ケーブルの一例を示す斜視図である。
【図４】従来の波付き同軸ケーブルを製造する場合に、テープ材を溶接する際の絶縁材の融着発生状況を説明するためのケーブル断面図である。
【符号の説明】
１…管成形機、２…溶接機、３…冷却装置、４…波付き機、ａ…波付き同軸ケーブル、ｂ…内部導体、ｃ…外部導体、ｄ…絶縁材、ｇ…コア、ｔ…テープ材。ｔ１…突き合わせ部分、ｄ１…融着部分。
【図１】
0003611398.tif 000002
【図２】
0003611398.tif 000003
【図３】
0003611398.tif 000004
【図４】
0003611398.tif 000005